(57)【要約】【課題】ねじを用いずに、板ばねをケースに強固に固定すること。【解決手段】ケース２に設けた軸部２ｂとカバー５に設けた軸受け部５ｂを係合することで、カバー５が軸部２ｂを中心に回転して開閉するようにケース２に取り付けられ、軸受け部５ｂを一端で押圧してカバー５の開閉状態を保つ板ばね９の他端をケース２に固定する電子機器において、板ばね９の他端を中央部９ｍに対して軸受け部５ｂと反対側に起立するように曲げ、曲がり部９ｃの幅を起立部９ｂと中央部９ｍの幅より小さくし、曲がり部９ｃの両側にある中央部９ｍの端部に起立部９ｂに向かって突出する先鋭な爪部９ｄを設け、ケース２に起立部９ｂを保持する枠状の保持部２ｆを設け、保持部２ｆに曲がり部９ｃを突出させる開口部９ｇを設け、起立部９ｂを保持部２ｆに挿入して、爪部９ｄを保持部２ｆの側面２ｈに食い込ませることで、板ばね９をフロントケース２に固定し、ねじを省く。【選択図】図２
2008147221.tif 000002
【特許請求の範囲】
【請求項１】
フロントケースの内側に設けられた軸部とカバーの内側に設けられた軸受け部とを係合することにより、前記カバーが前記軸部を中心に回転して開閉するように前記フロントケースに取り付けられ、前記軸受け部を一方の端部で押圧して、前記カバーを開状態と閉状態にそれぞれ保つ板ばねと、前記板ばねの他方の端部を前記フロントケースの内側に固定するねじとを備えた電子機器において、
前記板ばねの他方の端部を中央部に対して前記軸受け部の押圧方向と反対側に起立するように曲げ、該曲がり部の幅を該起立部と中央部の幅より小さくし、曲がり部の両側にある中央部の端部に起立部に向かって突出する先鋭な爪部を設け、
前記フロントケースの内側に前記板ばねの起立部を保持する枠状の保持部を設け、該保持部に前記板ばねの曲がり部を突出させる開口部を設け、
前記板ばねの起立部を前記保持部に圧入して、前記板ばねの爪部を前記保持部の側面に食い込ませることにより、前記板ばねを前記フロントケースの内側に固定して、前記ねじを省いたことを特徴とする電子機器。
【請求項２】
ケースとカバーの一方に軸部が設けられかつ他方に軸受け部が設けられ、前記軸部と前記軸受け部とを係合することにより、前記カバーが前記軸部を中心に回転して開閉するように前記ケースに取り付けられ、前記カバーを一方の端部で押圧して所定の開閉状態に保つ板ばねと、前記板ばねの他方の端部を前記ケースに固定するねじとを備えた電子機器において、
前記板ばねの他方の端部を中央部に対して前記カバーの押圧方向と反対側に起立するように曲げ、該曲がり部の幅を該起立部と中央部の幅より小さくし、曲がり部の両側にある中央部の端部に起立部に向かって突出する先鋭な爪部を設け、
前記ケースに前記板ばねの起立部を保持しつつ爪部を食い込ませる枠状の保持部を設け、該保持部に前記板ばねの曲がり部を突出させる開口部を設け、
前記ねじを省いたことを特徴とする電子機器。
【発明の詳細な説明】
【技術分野】
【０００１】
本発明は、ケースに開閉可能に取り付けられたカバーの開閉状態を保つ板ばねの固定構造に関するものである。
【背景技術】
【０００２】
図１は、電子機器の一例を示す斜視図である。電子機器１００は、例えばビデオカセットレコーダと光ディスクプレーヤまたは光ディスクレコーダとの一体型機、またはこれらとハードディスクレコーダやテレビジョン受像機との一体型機である。電子機器１００の筐体１の前面には、フロントケース２が取り付けられている。フロントケース２には、図１（ａ）に示すように光ディスクの挿入口３ａ、ビデオテープの挿入口３ｂ、光ディスクの出し入れボタン４ａ、ビデオテープの取り出しボタン４ｂ、電源スイッチ４ｃ、およびカバー５が設けられている。カバー５は、図１（ａ）、（ｂ）に示すようにフロントケース２に開閉可能に取り付けられている。フロントケース２のカバー５で覆われる側面２ｙには、表示部６、操作キー７ａ、７ｂ、および接続端子８が設けられている。カバー５の内側面５ｙの両端部には、アーム部５ａがカバー５と一体で設けられている。フロントケース２には、アーム部５ａを挿入する穴２ａが設けられている。フロントケース２とカバー５は、合成樹脂から形成されている。
【０００３】
図７および図８は、従来のフロントケース２へのカバー５の取り付け構造を示す図である。詳しくは、図７はフロントケース２等の側方断面図であり、図８はフロントケース２等の背面図（図７（ａ）の状態を右側から見た図）である。フロントケース２の穴２ａの奥の内側には、軸部２ｂがフロントケース２と一体で設けられている。カバー５のアーム部５ａの先端には、軸受け部５ｂがカバー５と一体で設けられている。図７に示すようにアーム部５ａと軸受け部５ｂとを穴２ａに挿入して、軸部２ｂと軸受け部５ｂとを係合することにより、カバー５は軸部２ｂを中心に回転して開閉するようにフロントケース２に取り付けられる。フロントケース２の内側の穴２ａの上方には、台２ｃがフロントケース２と一体で設けられている。台２ｃの側面には、ボス２ｄとねじ穴２ｅが設けられている。フロントケース２の内側には、板ばね１９が設けられている。板ばね１９の一方の端部には、Ｖ字型に曲げられた押圧部１９ａが設けられている。板ばね１９の他方の端部には、穴１９ｄ、１９ｅが設けられている。ボス２ｄを板ばね１９の穴１９ｄに通し、ねじ１８を板ばね１９の穴１９ｅに通してねじ穴２ｅにドライバ等で螺合することにより、板ばね１９の他方の端部は回転せずに台２ｃに固定される。板ばね１９とねじ１８は、鋼等の金属から形成されている。
【０００４】
図１（ａ）、図７（ａ）、および図８に示すようにカバー５が閉まった状態で、板ばね１９は押圧部１９ａで軸受け部５ｂの傾斜面５ｃを押圧する。このため、カバー５に図７（ａ）で時計回りに回転する力が作用して、カバー５の内側面５ｙがフロントケース２の側面２ｙに接し、該カバー５の閉状態が安定に保たれる。また、図１（ｂ）および図７（ｂ）に示すようにカバー５が開いた状態で、板ばね１９は押圧部１９ａで軸受け部５ｂの鉛直面５ｄを押圧する。このため、カバー５に図７（ｂ）で反時計回りに回転する力が作用して、カバー５の内側面５ｙがフロントケース２の底面２ｘに接し、該カバー５の開状態が安定に保たれる。
【０００５】
上記のような従来の構造では、板ばね１９をねじ１８でフロントケース２の内側に固定するため、ねじ１８とドライバ等が必要となり、コストがかかっていた。また、フロントケース２の板ばね１９を取り付ける部分のスペースが狭い場合や、板ばね１９、ねじ１８、および穴１９ｅ、２ｅが微小な場合等は、ねじ１８を穴１９ｅ、２ｅに通したり、ねじ１８をドライバ等のねじ締め具で締め付けたりするのが困難で、組み立て作業性が悪かった。
【０００６】
一方、下記の特許文献１には、電子機器のフロントベゼルの両端部に凸状の弾性部を一体で設け、フレームの両側面に凹状の被固定部を一体で設け、弾性部と被固定部に引っ掛け部を一体で設け、弾性部と被固定部を係合することにより、フロントベゼルをフレームに固定して、ねじやドライバ等を省く構造が開示されている。また、下記の特許文献２には、板ばねクリップの根元部に係止爪部を設け、電子機器の本体に凸状壁を設け、該凸状壁に差し込み穴とフック脱落防止穴を設け、板ばねクリップの根元部を凸状壁の差し込み穴に差し込んで、係止爪部をフック脱落防止穴に引っ掛けることにより、板ばねクリップの本体からの脱落を防止する構造が開示されている。しかしながら、もしこのような構造を上述したフロントケースへの板ばねの取り付けに適用した場合、弾性部と被固定部の間または係止爪部とフック脱落防止穴の間に隙間が生じて、フロントケースに板ばねを強固に固定できず、板ばねのカバーを押圧する力が減少してしまうおそれがある。
【０００７】
【特許文献１】実開昭６２−９０４９０号公報
【特許文献２】特開平１１−１１３４号公報（段落００２７、００３１、図２、図５等）
【発明の開示】
【発明が解決しようとする課題】
【０００８】
本発明は以上の問題を解決するものであって、その課題とするところは、ねじを用いずに、板ばねをケースに強固に固定することである。
【課題を解決するための手段】
【０００９】
本発明では、ケースとカバーの一方に軸部が設けられかつ他方に軸受け部が設けられ、軸部と軸受け部とを係合することにより、カバーが軸部を中心に回転して開閉するようにケースに取り付けられ、カバーを一方の端部で押圧して所定の開閉状態に保つ板ばねと、板ばねの他方の端部をケースに固定するねじとを備えた電子機器において、板ばねの他方の端部を中央部に対してカバーの押圧方向と反対側に起立するように曲げ、該曲がり部の幅を該起立部と中央部の幅より小さくし、曲がり部の両側にある中央部の端部に起立部に向かって突出する先鋭な爪部を設け、ケースに板ばねの起立部を保持しつつ爪部を食い込ませる枠状の保持部を設け、該保持部に板ばねの曲がり部を突出させる開口部を設け、前記ねじを省く。
【００１０】
このようにすると、ケースの保持部の開口部から板ばねの曲がり部を突出させつつ、保持部の内側に板ばねの起立部を挿入することで、起立部が保持部に保持されて、爪部が保持部の側面に食い込むので、ねじを用いずに、板ばねをケースに強固かつ容易に固定することができる。また、カバーが開閉する際に、カバーから板ばねの一方の端部に起立部を保持部から抜く方向の力が加わっても、爪部が保持部の側面に一層食い込むので、起立部が保持部から抜けず、板ばねがケースから外れるのを防止することができる。このため、板ばねのカバーを押圧する力が減少するのを防止して、カバーの所定の開閉状態を板ばねにより確実に保つことが可能となる。また、起立部を保持部の内側に挿入するだけで、板ばねがケースに固定されるので、ねじとドライバ等のねじ締め具が不要となり、ねじ締め工程も不要となり、コストを削減しつつ、組み立て作業性を向上させることが可能となる。
【００１１】
また、本発明の典型的な実施形態では、フロントケースの内側に設けられた軸部とカバーの内側に設けられた軸受け部とを係合することにより、カバーが軸部を中心に回転して開閉するようにフロントケースに取り付けられ、軸受け部を一方の端部で押圧して、カバーを開状態と閉状態にそれぞれ保つ板ばねと、板ばねの他方の端部をフロントケースの内側に固定するねじとを備えた電子機器において、板ばねの他方の端部を中央部に対して軸受け部の押圧方向と反対側に起立するように曲げ、該曲がり部の幅を該起立部と中央部の幅より小さくし、曲がり部の両側にある中央部の端部に起立部に向かって突出する先鋭な爪部を設け、フロントケースの内側に板ばねの起立部を保持する枠状の保持部を設け、該保持部に板ばねの曲がり部を突出させる開口部を設け、板ばねの起立部を保持部に圧入して、爪部を保持部の側面に食い込ませることにより、板ばねをフロントケースの内側に固定して、前記ねじを省く。
【００１２】
このようにすると、フロントケースの保持部の開口部から板ばねの曲がり部を突出させつつ、保持部の内側に板ばねの起立部を圧入することで、確実に、起立部が保持部にぐらつくことなく保持されて、爪部が保持部の側面に食い込むので、ねじを用いずに、板ばねをフロントケースに強固かつ容易に固定することができる。また、カバーが開閉する際に、軸受け部から板ばねの一方の端部に起立部を保持部から抜く方向の力が加わっても、爪部が保持部の側面に一層食い込むので、起立部が保持部から抜けず、板ばねがフロントケースから外れるのを防止することができる。このため、板ばねの軸受け部を押圧する力が減少するのを防止して、カバーの開状態と閉状態を板ばねにより確実に保つことが可能となる。また、起立部を保持部に挿入するだけで、板ばねがフロントケースに固定されるので、ねじとドライバ等のねじ締め具が不要となり、ねじ締め作業も不要となり、コストを削減しつつ、組み立て作業性を向上させることが可能となる。
【発明の効果】
【００１３】
本発明によれば、板ばねの起立部がケースの保持部に保持されて、板ばねの爪部が保持部の側面に食い込むので、ねじを用いずに、板ばねをケースに強固かつ容易に固定することができる。また、カバーが開閉する際に、カバーから板ばねに起立部を保持部から抜く方向の力が加わっても、爪部が保持部の側面に一層食い込むので、板ばねがケースから外れるのを防止することができる。
【発明を実施するための最良の形態】
【００１４】
以下、本発明の実施形態につき図を参照して説明する。以下では、背景技術の項で説明した図１を本発明の実施形態として引用する。図１の電子機器１００は、本発明の実施形態に係る電子機器である。電子機器１００の各部についてはすでに説明済みなので、以下では重複説明を省略する。
【００１５】
図２および図３は、本発明の実施形態に係るフロントケース２へのカバー５の取り付け構造を示す図である。詳しくは、図２はフロントケース２等の側方断面図であり、図３はフロントケース２等の背面図（図２（ａ）の状態を右側から見た図）である。図中、図７および図８と同一部分には、同一符号を付している。この同一部分についてはすでに説明済みなので、以下では重複説明を省略する。  図２等に示すように、カバー５のアーム部５ａと軸受け部５ｂとをフロントケース２の穴２ａに挿入して、フロントケース２の軸部２ｂと軸受け部５ｂとを係合することにより、カバー５は軸部２ｂを中心に回転して開閉するようにフロントケース２に取り付けられる。フロントケース２の内側には、図２および図３に示すように板ばね９が設けられている。
【００１６】
図４は、本発明の実施形態に係る板ばね９を示す図である。図４（ａ）は板ばね９の斜視図、図４（ｂ）は板ばね９の側面図である。板ばね９は、鋼等の金属から形成されている。板ばね９の一方の端部には、横向きのＶ字型に曲げられた押圧部９ａが設けられている。板ばね９は、押圧部９ａでカバー５の軸受け部５ｂを押圧する（図２に図示）。板ばね９の他方の端部には、平坦な中央部９ｍに対して押圧部９ａの出っ張り方向（軸受け部５ｂの押圧方向）と反対側に起立するように曲げられた起立部９ｂが設けられている。起立部９ｂは、中央部９ｍに対して所定の角度で傾斜している。起立部９ｂの中央部９ｍと反対側の端部には、中央部９ｍと平行になるように曲げられた鍔部９ｅが設けられている。中央部９ｍと起立部９ｂの間にある曲がり部９ｃの幅は、起立部９ｂと中央部９ｍの幅より小さくなっている。曲がり部９ｃの両側にある中央部９ｍの端部には、起立部９ｂに向かって突出する先鋭な爪部９ｄが設けられている。
【００１７】
図２および図３のフロントケース２の内側の穴２ａの上方には、板ばね９の起立部９ｂを保持する枠状の保持部２ｆがフロントケース２と一体で設けられている。保持部２ｆの内側は、起立部９ｂを圧入するような形状に形成されている。保持部２ｆの側面２ｈには、板ばね９の曲がり部９ｃを突出させる開口部２ｇが設けられている。開口部２ｇの幅は、曲がり部９ｃの幅より大きくて、起立部９ｂと中央部９ｍの幅より小さくなっている。曲がり部９ｃを保持部２ｆの開口部２ｇから突出させつつ、鍔部９ｅを押して、起立部９ｂを保持部２ｆの内側に圧入状態で挿入することにより、図２および図３に示すように起立部９ｂが保持部２ｆに保持されて、爪部９ｄが保持部２ｆの側面２ｈに食い込み、板ばね９がフロントケース２の内側にがたつくことなく強固に固定される。
【００１８】
図１（ａ）、図２（ａ）、および図３に示すようにカバー５が閉まった状態で、板ばね９は押圧部９ａで軸受け部５ｂの傾斜面５ｃを押圧する。このため、カバー５に図２（ａ）で時計回りに回転する力が作用して、カバー５の内側面５ｙがフロントケース２の側面２ｙに接し、該カバー５の閉状態が安定に保たれる。また、図１（ｂ）および図２（ｂ）に示すようにカバー５が開いた状態で、板ばね９は押圧部９ａで軸受け部５ｂの鉛直面５ｄを押圧する。このため、カバー５に図２（ｂ）で反時計回りに回転する力が作用して、カバー５の内側面５ｙがフロントケース２の底面２ｘに接し、該カバー５の開状態が安定に保たれる。さらに、カバー５が軸部２ｂを中心に回転して開閉する際に、軸受け部５ｂから板ばね９の押圧部９ａに、起立部９ｂを保持部２ｆから抜く方向の力が加わる。然るに、該力により、板ばね９の爪部９ｄが保持部２ｆの側面２ｈに一層食い込むようになるので、起立部９ｂが保持部２ｆから抜けず、板ばね９がフロントケース２から外れることもない。つまり、爪部９ｄがかえし（逆鉤）として機能して、起立部９ｂの保持部２ｆからの抜けを防止する。
【００１９】
以上によると、フロントケース２の保持部２ｆの開口部２ｇから板ばね９の曲がり部９ｃを突出させつつ、保持部２ｆの内側に板ばね９の起立部９ｂを圧入することで、確実に、起立部９ｂを保持部２ｆでぐらつくことなく保持して、爪部９ｄを保持部２ｆの側面２ｈに食い込ませることができる。このため、図７等に示したねじ１８を用いずに、板ばね９をフロントケース２に強固かつ容易に固定することが可能となる。また、カバー５が開閉する際に、軸受け部５ｂから板ばね９の押圧部９ａに起立部９ｂを保持部２ｆから抜く方向の力が加わっても、爪部９ｄを保持部２ｆの側面２ｈに一層食い込ませることができる。このため、起立部９ｂが保持部２ｆから抜けず、板ばね９がフロントケース２から外れるのを防止することが可能となる。よって、板ばね９が軸受け部５ｂを押圧する力が減少するのを防止して、カバー５の開状態と閉状態を板ばね９により確実に保つことが可能となる。また、起立部９ｂを保持部２ｆの内側に挿入するだけで、板ばね９がフロントケース２に固定されるので、ねじ１８とドライバ等のねじ締め具が不要となり、ねじ締め工程も不要となり、コストを削減しつつ、組み立て作業性を向上させることが可能となる。
【００２０】
本発明は、以上の実施形態以外にも種々の形態を採用することができる。例えば、以上の実施形態では、フロントケース２に軸部２ｂを一体で設け、カバー５に軸受け部５ｂを一体で設けた例を挙げたが、本発明はこれのみに限定するものではなく、これ以外に、例えば図５および図６に示すようにカバー５のアーム部５ａの先端に軸部５ｊを一体または別体で設け、フロントケース２の内側に軸受け部２ｊを一体または別体で設けるようにしてもよい。この場合、軸部５ｊと軸受け部２ｊとを係合することにより、カバー５が軸部５ｊを中心に回転して開閉するようにフロントケース２に取り付けられる。また、アーム部５ａの先端に一体で設けられたカム部５ｋの周面を板ばね９の押圧部９ａで押圧することにより、カバー５の開状態と閉状態とが保たれる。
【００２１】
また、以上の実施形態では、フロントケース２に取り付けたカバー５の開閉状態を保つ板ばね９を、フロントケース２に固定する場合に、本発明を適用した例を挙げたが、本発明は、これ以外の電子機器のケースに取り付けたカバーの開閉状態を保つ板ばねを、ケースに固定する場合にも適用することが可能である。
【００２２】
さらに、以上の実施形態では、ビデオカセットレコーダと光ディスクプレーヤまたは光ディスクレコーダとの一体型機、またはこれらとハードディスクレコーダやテレビジョン受像機との一体型機である電子機器１００に、本発明を適用した例を挙げたが、本発明は、例えばビデオカセットレコーダ、光ディスクプレーヤ、光ディスクレコーダ、ハードディスクレコーダ、若しくはテレビジョン受像機等の単一型機、またはこれらの少なくとも２つ以上が一体になった一体型機、あるいはその他の一般的な電子機器にも適用することが可能である。
【図面の簡単な説明】
【００２３】
【図１】本発明の実施形態に係る電子機器の一例を示す斜視図である。
【図２】本発明の実施形態に係るフロントケースへのカバーの取り付け構造を示す図である。
【図３】本発明の実施形態に係るフロントケースへのカバーの取り付け構造を示す図である。
【図４】本発明の実施形態に係る板ばねを示す図である。
【図５】他の実施形態に係るフロントケースへのカバーの取り付け構造を示す図である。
【図６】他の実施形態に係るフロントケースへのカバーの取り付け構造を示す図である。
【図７】従来のフロントケースへのカバーの取り付け構造を示す図である。
【図８】従来のフロントケースへのカバーの取り付け構造を示す図である。
【符号の説明】
【００２４】
２  フロントケース
２ｂ  軸部
２ｆ  保持部
２ｇ  開口部
２ｈ  側面
２ｊ  軸受け部
５  カバー
５ｂ  軸受け部
５ｊ  軸部
９  板ばね
９ａ  押圧部
９ｂ  起立部
９ｃ  曲がり部
９ｄ  爪部
９ｍ  中央部
１００  電子機器
【図１】
2008147221.tif 000003
【図２】
2008147221.tif 000004
【図３】
2008147221.tif 000005
【図４】
2008147221.tif 000006
【図５】
2008147221.tif 000007
【図６】
2008147221.tif 000008
【図７】
2008147221.tif 000009
【図８】
2008147221.tif 000010